(57)【要約】【課題】電気事業者から供給可能な電力量を有効に利用することが可能とする。【解決手段】需要電力量制御システムは、予め定められた範囲に含まれる複数の負荷において消費される電力量を制御する。需要電力量制御システムは、前記負荷の駆動状態を変更する制御情報を得る入力情報処理部と、前記複数の負荷において消費される電力量を推定した推定総消費電力量を判定した判定結果に従って、前記負荷の駆動を制御する制御部とを備える。前記制御部は、前記制御情報を得ることに応じて判定した前記判定結果により、前記推定総消費電力量が予め定められた閾値を越えないように前記負荷の駆動を制御する。【選択図】図１
2013169039.tif 000002
【特許請求の範囲】
【請求項１】
予め定められた範囲に含まれる複数の負荷において消費される電力量を制御する需要電力量制御システムであって、
前記負荷の駆動状態を変更する制御情報を得る入力情報処理部と、
前記複数の負荷において消費される電力量を推定した推定総消費電力量を判定した判定結果に従って、前記負荷の駆動を制御する制御部と
を備え、
前記制御部は、
前記制御情報を得ることに応じて判定した前記判定結果により、前記推定総消費電力量が予め定められた閾値を越えないように前記負荷の駆動を制御する
ことを特徴とする需要電力量制御システム。
【請求項２】
前記複数の負荷は、駆動させる優先度に応じた負荷群に分類されており、
前記負荷群には、前記駆動させる優先度に応じた優先度情報がそれぞれ設定されており、
前記制御部は、
前記優先度情報に従って前記負荷の駆動を制御する
ことを特徴とする請求項１に記載の需要電力量制御システム。
【請求項３】
前記制御部は、
前記制御情報を得ることに応じて前記優先度情報を更新する
ことを特徴とする請求項２に記載の需要電力量制御システム。
【請求項４】
前記制御部は、
前記負荷を稼動させることの重要度に応じて定められている前記優先度に応じて前記負荷の稼動を制御する
ことを特徴とする請求項２又は請求項３に記載の需要電力量制御システム。
【請求項５】
前記制御部は、
前記負荷が設けられている場所に応じて定められている前記優先度に応じて前記負荷の稼動を制御する
ことを特徴とする請求項２から請求項４の何れか１項に記載の需要電力量制御システム。
【請求項６】
前記制御部は、
前記負荷の種別に応じて定められている前記優先度に応じて前記負荷の稼動を制御する
ことを特徴とする請求項２から請求項４の何れか１項に記載の需要電力量制御システム。
【請求項７】
前記制御部は、
前記負荷の稼働状況によって環境が変化する場所の環境条件に応じて定められている前記優先度に応じて前記負荷の稼動を制御する
ことを特徴とする請求項２から請求項４の何れか１項に記載の需要電力量制御システム。
【請求項８】
前記制御部は、
前記環境条件に応じて定められている前記優先度に応じて前記負荷の稼動を制御する
ことを特徴とする請求項７に記載の需要電力量制御システム。
【請求項９】
前記消費する電力量が制御される範囲として定められている第１の範囲と、前記第１の範囲より広い第２の範囲とがあり、
前記第１の範囲には、前記第１の範囲に含まれる負荷の駆動を制御する第１の前記優先度が定められており、
前記第２の範囲には、前記第２の範囲に含まれる負荷の駆動を制御する第２の前記優先度が定められており、
前記制御部は、
前記消費する電力量が制御される範囲に応じた前記優先度に応じて前記負荷の稼動を制御する
ことを特徴とする請求項２から請求項８の何れか１項に記載の需要電力量制御システム。
【請求項１０】
予め定められた範囲に含まれる複数の負荷において消費される電力量を制御する制御システムの需要電力量制御方法であって、
入力情報処理部が負荷の駆動状態を変更する制御情報を得る過程と、
前記複数の負荷において消費される電力量を推定した推定総消費電力量を判定した判定結果に従って、前記負荷の駆動を制御する過程と
を含み、
前記複数の負荷の駆動を制御する過程には、
前記得られた制御情報に応じて判定した前記判定結果により、前記推定総消費電力量が予め定められた閾値を越えないように前記負荷の駆動を制御する過程
が含まれていることを特徴とする需要電力量制御方法。
【請求項１１】
予め定められた範囲に含まれる複数の負荷において消費される電力量を制御する需要電力量制御システムが備えるコンピュータに、
入力情報処理部が負荷の駆動状態を変更する制御情報を得るステップと、
前記複数の負荷において消費される電力量を推定した推定総消費電力量を判定した判定結果に従って、前記負荷の駆動を制御するステップと
を実行させ、
前記複数の負荷の駆動を制御するステップにおいて、前記得られた制御情報に応じて判定した前記判定結果により、前記推定総消費電力量は予め定められた閾値を越えないように前記負荷の駆動を制御するステップ
を実行させるためのプログラム。
【発明の詳細な説明】
【技術分野】
【０００１】
本発明は、需要電力量制御システム、需要電力量制御方法及びプログラムに関する。
【背景技術】
【０００２】
需要電力量制御システムは、需要者側に設けられている電気設備が使用すると見込まれる需要電力量を制御する。電気事業者から供給できる供給可能電力量に対し、需要者側に設けられている電気設備が使用すると見込まれる需要電力量が超過すると予測されることがある。需要電力量が超過すると予測される場合、需要電力量が超過する状況が生じることを回避させるために、電気事業者は、推定結果に基づいて需要者に需要電力量の低減を奨励している。それぞれの需要者は、需要電力量の低減（節電）の奨励に基づいて電気設備の稼働状況を調整して、需要電力量を低減させる節電方法を実施している。
ところで、需要者側における実際のエネルギー使用量や環境データなどの計測データを収集し、収集した各種情報を需要者に提供する情報提供システムがある（例えば、非特許文献１参照）。
【先行技術文献】
【非特許文献】
【０００３】
【非特許文献１】”エネルギーモニタリングサービスＲｅｍｏｎｉ（登録商標）”、［online］、株式会社ＮＴＴファシリティーズ、［平成２３年１２月２８日検索］、インターネット<URL:http://http://www.ntt-f.co.jp/service/mon_remoni/>
【発明の概要】
【発明が解決しようとする課題】
【０００４】
しかしながら、非特許文献１に記載の情報提供システムは、需要者におけるエネルギー使用量や環境データなどの計測データとして過去に収集された情報を提供するが、提供される情報には、現時点の情報は含まれていない。仮に、同情報提供システムによって提供されている情報を参照できたとしても、電気事業者からの供給可能電力量に対し需要電力量が超過することなく、現時点においてさらに電力を使用できる状況にあるか否かを容易に判断することができない。
また、需要電力量の低減の奨励に基づいて電気設備の稼働状況を調整することにより、需要電力量が超過する状況が回避されているとしても、需要者が無理をして過度に節電しすぎて余剰電力が生じている場合がある（図２、グラフｇ３０参照）。そのため、上記のような節電方法からは、需要者が供給可能電力量に見合った電力量を有効に利用することができないという問題があった。
【０００５】
本発明の目的は、上記問題を解決するため、電気事業者から供給可能な電力量を有効に利用することができる需要電力量制御システム、需要電力量制御方法及びプログラムを提供することを目的とする。
【課題を解決するための手段】
【０００６】
［１］この発明は、上述した課題を解決するためになされたものであり、予め定められた範囲に含まれる複数の負荷において消費される電力量を制御する需要電力量制御システムであって、前記負荷の駆動状態を変更する制御情報を得る入力情報処理部と、前記複数の負荷において消費される電力量を推定した推定総消費電力量を判定した判定結果に従って、前記負荷の駆動を制御する制御部とを備え、前記制御部は、前記制御情報を得ることに応じて判定した前記判定結果により、前記推定総消費電力量が予め定められた閾値を越えないように前記負荷の駆動を制御することを特徴とする需要電力量制御システムである。
【０００７】
［２］また、本発明は、上記発明において、前記複数の負荷は、駆動させる優先度に応じた負荷群に分類されており、前記負荷群には、前記駆動させる優先度に応じた優先度情報がそれぞれ設定されており、前記制御部は、前記優先度情報に従って前記負荷の駆動を制御することを特徴とする。
【０００８】
［３］また、本発明は、上記発明において、前記制御部は、前記制御情報を得ることに応じて前記優先度情報を更新することを特徴とする。
【０００９】
［４］また、本発明は、上記発明において、前記制御部は、前記負荷を稼動させることの重要度に応じて定められている前記優先度に応じて前記負荷の稼動を制御する。
【００１０】
［５］また、本発明は、上記発明において、前記制御部は、前記負荷が設けられている場所に応じて定められている前記優先度に応じて前記負荷の稼動を制御することを特徴とする。
【００１１】
［６］また、本発明は、上記発明において、前記制御部は、前記負荷の種別に応じて定められている前記優先度に応じて前記負荷の稼動を制御することを特徴とする。
【００１２】
［７］また、本発明は、上記発明において、前記制御部は、前記負荷の稼働状況によって環境が変化する場所の環境条件に応じて定められている前記優先度に応じて前記負荷の稼動を制御することを特徴とする。
【００１３】
［８］また、本発明は、上記発明において、前記制御部は、前記環境条件に応じて定められている前記優先度に応じて前記負荷の稼動を制御することを特徴とする。
【００１４】
［９］また、本発明は、上記発明において、前記消費する電力量が制御される範囲として定められている第１の範囲と、前記第１の範囲より広い第２の範囲とがあり、前記第１の範囲には、前記第１の範囲に含まれる負荷の駆動を制御する第１の前記優先度が定められており、前記第２の範囲には、前記第２の範囲に含まれる負荷の駆動を制御する第２の前記優先度が定められており、前記制御部は、前記消費する電力量が制御される範囲に応じた前記優先度に応じて前記負荷の稼動を制御することを特徴とする。
【００１５】
［１０］また、本発明は、予め定められた範囲に含まれる複数の負荷において消費される電力量を制御する制御システムの需要電力量制御方法であって、入力情報処理部が負荷の駆動状態を変更する制御情報を得る過程と、前記複数の負荷において消費される電力量を推定した推定総消費電力量を判定した判定結果に従って、前記負荷の駆動を制御する過程とを含み、前記複数の負荷の駆動を制御する過程には、前記得られた制御情報に応じて判定した前記判定結果により、前記推定総消費電力量が予め定められた閾値を越えないように前記負荷の駆動を制御する過程が含まれていることを特徴とする需要電力量制御方法である。
【００１６】
［１１］また、本発明は、予め定められた範囲に含まれる複数の負荷において消費される電力量を制御する需要電力量制御システムが備えるコンピュータに、入力情報処理部が負荷の駆動状態を変更する制御情報を得るステップと、前記複数の負荷において消費される電力量を推定した推定総消費電力量を判定した判定結果に従って、前記負荷の駆動を制御するステップとを実行させ、前記複数の負荷の駆動を制御するステップにおいて、前記得られた制御情報に応じて判定した前記判定結果により、前記推定総消費電力量は予め定められた閾値を越えないように前記負荷の駆動を制御するステップを実行させるためのプログラムである。
【発明の効果】
【００１７】
以上説明したように、本願発明によれば、電気事業者から供給可能な電力量を有効に利用することが可能となる。
【図面の簡単な説明】
【００１８】
【図１】本発明の第１実施形態に係わる需要電力量制御システムの概略構成図である。
【図２】本実施形態に係わる需要電力量制御システムにおける制御の概要を示す図である。
【図３】本実施形態に係わる需要電力量制御システムにおける優先度制御処理を示す図である。
【図４】本実施形態に係わる需要電力量制御システムにおける需要電力量の制御処理を示すフローチャート（その１）である。
【図５】本実施形態に係わる需要電力量制御システムにおける需要電力量の制御処理を示すフローチャート（その２）である。
【図６】本発明の第２実施形態に係わる需要電力量制御システムの概略構成図である。
【図７】本実施形態に係わる需要電力量制御システムにおける優先度制御処理を示す図である。
【発明を実施するための形態】
【００１９】
（第１実施形態）
【００２０】
以下、本発明の第１実施形態について、図面を参照して説明する。以下の説明では、最初に、需要電力量制御システムの構成について説明し、その後に、需要電力量制御システムにおける各種処理について説明する。本実施形態においては、主に需要電力量制御システムによって需要電力量を制御することにより、電気事業者から供給可能な電力量を有効に利用する一実施態様を示す。
【００２１】
図１は、本発明の実施形態に係わる需要電力量制御システムの概略構成図である。
本実施形態における需要電力量制御システム１における需要電力量制御装置１１０は、予め定められた範囲に含まれる複数の負荷において消費される電力量（最大需要電力量）を制御する。
この図１に示す需要電力量制御システム１は、需要電力量制御装置１１０、コンセント部１２０、照明設備部１３０、空調設備部１４０、センサー部１５０、及び、電源設備部２００を備える。
【００２２】
コンセント部１２０は、例えば、コンセント１２１とコンセント１２２とを備える。
コンセント１２１は、電源設備部２００に接続されており、比較的重要度の高い負荷が接続される。コンセント１２１は、電力を供給する優先度が高くなるように設定されている。このように電力を供給する優先度が設定されたコンセント１２１を介して、比較的重要度の高い負荷に対して電源設備部２００からの電力が供給される。
コンセント１２２は、電源設備部２００に接続されており、比較的重要度の低い負荷が接続される。コンセント１２２は、電力を供給する優先度を低くするように設定されている。このように電力を供給する優先度が設定されたコンセント１２２を介して、比較的重要度の低い負荷に対して電源設備部２００からの電力が供給される。
このようにコンセント部１２０は、それぞれのコンセントごとに設定されている電力を供給する優先度に従って電力が供給されることにより、負荷の重要度（用途）に応じて給電することができる。また、コンセント部１２０の各コンセントに接続される負荷の重要度（用途）に応じた給電形態は、記憶部１１９において記憶されている電力を供給する優先度を示す優先度情報に応じて定められ、情報処理部１１１の処理によって制御される。また、このようなコンセント部１２０は、それぞれのコンセントから供給される給電形態に対応させて色分けし、それぞれのコンセントの目印を色分けして示す場合がある。
【００２３】
照明設備部１３０は、照明制御操作部１３１、照明制御部１３２、照明器具１３３を備える。
照明制御操作部１３１は、ユーザーによる操作を検出し、検出した操作に応じた制御情報を出力する。照明制御操作部１３１は、出力した制御情報に応じて、照明制御部１３２に照明器具１３３の点灯状態を制御させる。照明器具１３３の点灯状態は、点灯(ON状態)と消灯(OFF状態)がある。点灯(ON状態)においては、さらに設定した照度情報に応じて照度が調整される調光状態がある。
【００２４】
照明制御部１３２は、施設内に設けられている照明器具１３３の点灯状況を制御する。照明制御部１３２による照明器具１３３の点灯状況を制御は、施設内の所定の範囲ごとに纏めて制御することができる。例えば、照明制御部１３２は、照明器具１３３が設けられている部屋、ゾーン、フロア、ビル全体などの単位で制御する。
照明制御部１３２は、照明制御操作部１３１から出力された制御情報により、照明器具１３３の点灯状態を点灯(ON状態)と消灯(OFF状態)とを切り替える。また、照明制御部１３２は、照明制御操作部１３１から出力された制御情報により、点灯(ON状態)の照明器具１３３において、照度情報に応じて照度を調整してもよい。
また、照明制御部１３２は、需要電力量制御装置１１０から送られてくる「計測データ要求」に応じて、図示しない計器にて検出された使用電流などの計測データを需要電力量制御装置１１０にそれぞれ送出する（「計測データ送信」）。
【００２５】
空調設備部１４０は、空調制御操作部１４１、空調制御部１４２、空調装置１４３を備える。
空調制御操作部１４１は、ユーザーによる操作を検出し、検出した操作に応じた制御情報を出力する。空調制御操作部１４１は、出力した制御情報に応じて、空調制御部１４２に空調装置１４３の稼動状態を制御させる。空調装置１４３の稼動状態は、稼動状態(ON状態)と停止状態(OFF状態)がある。稼動状態(ON状態)においては、さらに設定した温度情報に応じて室内温度が調整される。
空調制御部１４２は、施設内に設けられている空調装置１４３の稼動状況を制御する。空調制御部１４２による空調装置１４３の稼動状況の制御は、施設内の所定の範囲ごとに纏めて制御することができる。例えば、空調制御部１４２は、空調装置１４３が設けられている部屋、ゾーン、フロア、ビル全体などの単位で制御する。
また、本実施形態における空調制御部１４２は、需要電力量制御装置１１０から送られてくる「計測データ要求」に応じて、図示しない計器にて検出された使用電流、室内温度などの計測データを需要電力量制御装置１１０にそれぞれ送出する（「計測データ送信」）。
【００２６】
センサー部１５０は、施設内に設けられている各種センサ（不図示）において検出された計測データを需要電力量制御装置１１０にそれぞれ送出する（「計測データ送信」）。例えば、各種センサーには、所定の領域にいる人物を検出するセンサーが含まれる。所定の領域にいる人物を検出するセンサーとして、人物が発する赤外線を検出する赤外線検出センサーや、床に敷いた圧力センサー、人物による操作を検出する端末装置などがある。
【００２７】
電源設備部２００は、電源系統から供給される電力の一部を需要電力量制御装置１１０、コンセント部１２０、照明設備部１３０、空調設備部１４０、センサー部１５０に供給するとともに、それぞれの給電先への給電状態を制御する。また、電源設備部２００は、コンセント部１２０のコンセント１２１とコンセント１２２とにおいて、負荷の重要度に応じて給電状態を異なるように制御する。
例えば、電源設備部２００は、図示されない電源系統側計器ＷｈＨ、変圧器ＴＲ、高圧側電圧電流検出部ＤＴＨ、分電側電圧電流検出部ＤＴＬを備える。電源系統側計器ＷｈＨは、供給される電力量を検出し、検出した電力量を需要電力量制御装置１１０に送る。変圧器ＴＲは、受電した電力を一般電力需用家が利用可能な低圧電力（例えば交流１００Ｖまたは２００Ｖ）に変換して各電気使用場所Ｚに供給する。電源系統側電圧電流検出部ＤＴＨは、供給されている電力による電圧ＶＨと電流ＩＨを検出し、検出した電圧ＶＨと電流ＩＨとをそれぞれ需要電力量制御装置１１０に送る。分電側電圧電流検出部ＤＴＬは、各負荷に供給する電力による電圧ＶＨと電流ＩＨを検出し、検出した電圧ＶＬと電流ＩＬとをそれぞれ需要電力量制御装置１１０に送る。また、電源設備部２００は、情報処理部１１１又は制御部１１８からの制御に応じて、コンセント部１２０に給電する給電状態を制御する。電源設備部２００は、コンセント部１２０に給電する給電状態を、記憶部１１９に記憶されている優先度情報に応じた制御指令により制御する。
以上に示す電源設備部２００は、いわゆる受変電設備（受変電部２１０）を含む。
【００２８】
需要電力量制御装置１１０は、情報処理部１１１、制御部１１８、及び、記憶部１１９を備えている。
記憶部１１９は、情報処理部１１１又は制御部１１８によって書き込まれた情報を記憶（保持）する。情報処理部１１１によって書き込まれる情報には、情報処理部１１１が得た各負荷の駆動状態を変更する制御情報と、センサー部１５０によって検出された検出情報、電源設備部２００又は各負荷によって検出された消費電力情報などが含まれる。情報処理部１１１が得た各負荷の駆動状態を変更する制御情報には、照明設備部１３０、空調設備部１４０を制御するための操作情報が含まれる。また、センサー部１５０によって検出された検出情報には、人の進入履歴情報（在圏情報）が含まれる。
また、記憶部１１９は、電源設備部２００から電力を供給するコンセント部１２０において、各コンセントに接続される負荷の重要度に応じて電力を供給する優先度情報を記憶(保持)する。電力を供給する優先度情報は、各コンセントに接続される負荷の重要度に応じて、コンセント部１２０における各コンセントに対応して予め定められている。
また、制御部１１８によって書き込まれた情報には、制御情報を得ることに応じて更新される優先度情報が含まれる。
【００２９】
本実施形態における情報処理部１１１（入力情報処理部）は、各負荷の駆動状態を変更する制御情報を得る。
例えば、各負荷には、コンセント部１２０に接続された電気器具１２３、１２４、１２６、照明設備部１３０、空調設備部１４０、センサー部１５０などがある。
情報処理部１１１は、それぞれ得た各負荷の駆動状態を変更する制御情報を記憶部１１９に記憶させる。例えば、情報処理部１１１が記憶部１１９に記憶させる制御情報には、照明設備部１３０、空調設備部１４０を制御するための操作情報が含まれ、センサー部１５０によって検出された検出情報が含まれる。
【００３０】
本実施形態における制御部１１８は、複数の負荷において消費される電力量を推定した推定総消費電力量を判定した判定結果に従って、各負荷の駆動を制御する。
例えば、推定総消費電力量は、各負荷によって前日に消費された消費電力の履歴情報に基づいて生成されたものであってもよい。また、直近の１週間に消費された消費電力の履歴情報に基づいて生成されたものであってもよい。或は、１週間前の同じ曜日に消費された消費電力の履歴情報に基づいて生成されたものであってもよい。このような推定総消費電力量を、制御部１１８が記憶部１１９に記憶されている消費電力の履歴情報に基づいて算出してもよい。
情報処理部１１１が制御情報を得たことに応じて、制御部１１８は、推定総消費電力量を判定した判定結果により、推定総消費電力量が予め定められた閾値を越えないように負荷の駆動を制御する。
【００３１】
また、制御部１１８は、優先度情報（重要度情報）に従って負荷の駆動を制御する。上記負荷は、駆動させる優先度に応じた負荷群に分類されている。
上記負荷群には、駆動させる優先度に応じた優先度情報がそれぞれ設定されている。制御部１１８は、優先度情報に従って、それぞれの負荷群に含まれる負荷の駆動を、負荷群を単位として制御する。
【００３２】
制御部１１８は、制御情報を得ることに応じて上記優先度情報を更新する。このように制御部１１８は、負荷の駆動を切り替える制御情報を得ることに応じて、駆動状態にある負荷の優先度に応じた優先度情報を更新することにより、最新の駆動状態の情報を管理することができる。
【００３３】
また、制御部１１８は、負荷を稼動させることの重要度に応じて定められている優先度に応じて負荷の稼動を制御する。
【００３４】
さらに、制御部１１８は、消費する電力量が制御される範囲に応じた優先度に応じて負荷の稼動を制御する。
【００３５】
或は、制御部１１８は、負荷が設けられている場所に応じて定められている優先度に応じて負荷の稼動を制御してもよい。
また、制御部１１８は、負荷の種別に応じて定められている優先度に応じて負荷の稼動を制御してもよい。
また、制御部１１８は、負荷の稼働状況によって環境が変化する場所の環境条件に応じて定められている優先度に応じて負荷の稼動を制御してもよい。
また、制御部１１８は、環境条件に応じて定められている優先度に応じて負荷の稼動を制御してもよい。
【００３６】
制御部１１８が行う制御の詳細については、後述する。
【００３７】
次に、本実施形態に係わる需要電力量制御システムにおける制御について説明する。
図２は、本実施形態に係わる需要電力量制御システムにおける制御の概要を示す図である。この図２示すグラフは、重要度に応じて複数の優先度に分類された負荷の消費電力（縦軸）の、時刻ｔ０から時刻ｔ５に到るまでの経時変化（横軸）を、グラフｇ１０、ｇ１１、ｇ１２、ｇ２０、ｇ３０により示す。
【００３８】
グラフｇ１０は、ユーザーの給電要求に応じて負荷を駆動した場合の電力量の変化を示す。需用電力制御の対象となる負荷が重要度に応じて３つのグループ（群）に分割されている。３つのグループ（群）について、最も優先度が高い負荷（負荷群Ａ）の電力量をグラフｇ１１に示し、最も優先度が高い負荷（負荷群Ａ）と次に優先度が高い負荷（負荷群Ｂ）の電力量とを合計した電力量をグラフｇ１２に示す。要するに、グラフｇ１０は、最も優先度が高い負荷（負荷群Ａ）と次に優先度が高い負荷（負荷群Ｂ）と比較的優先度が低い負荷（負荷群Ｃ）とによる全ての負荷の電力量とを合計した電力量を示す。ここで、グラフｇ１１とグラフｇ１２との差が、上記の負荷群Ｂの電力量の変化を示す。また、グラフｇ１０とグラフｇ１２との差が、上記の負荷群Ｃの電力量の変化を示す。
また、各負荷において消費される需要電力量の制限目標値を閾値ＰＷthとして示す。この閾値ＰＷthは、例えば昨年の最大需要電力量（ＰＷ０）の履歴情報などに基づいて低減させた値に設定される。
【００３９】
グラフｇ２０は、本実施形態に示す需要電力量制御を適用した場合の消費電力の変化を示す。このグラフｇ２０において示されているように、グラフｇ２０は、閾値ＰＷthに応じて制限されていることがわかる。
【００４０】
次に、本実施形における需要電力量制御について、時間の経過に従って順に説明する。
時刻ｔ０において、各負荷（負荷群Ａ，Ｂ，Ｃ）への電力供給が許可され、ユーザーの要求に応じた負荷への電力供給が始まる。時刻ｔ０から時刻ｔ１までの間は、負荷（負荷群）の優先度に応じた分類に関係なく、ユーザーの要求に応じた順に従って順次当該負荷への給電が行われる。
【００４１】
時刻ｔ１において、全ての負荷を対象として推定された推定需要電力量が閾値ＰＷthを超過すると判定されたことにより、需要電力量制御システム１は、需要電力量を低減する処理を開始する。この需要電力量を低減する処理が行われる段階になると、需要電力量制御システム１は、稼働中の負荷と新たに稼動させようとする負荷とを合わせた範囲から優先度（重要度）が低い順（例えば、負荷群Ｃ、負荷群Ｂ、負荷群Ａの順）に負荷を選択し、選択した負荷への電力供給を低減する（遮断する）。この図２に示される場合によれば、選択される負荷は、稼働中の負荷群Ｃに属する負荷か、新たに稼動させようとする負荷の何れかが選択される。なお、上記のような制御は、後述の時刻ｔ４まで継続する。
【００４２】
時刻ｔ２を過ぎると、負荷群Ａと負荷群Ｂとを対象として推定された推定需要電力量が閾値ＰＷthを超過すると判定される。この状態は、時刻ｔ２から時刻ｔ３まで継続する。この間に選択される負荷は、時刻ｔ１から時刻ｔ２までと同様に、稼働中の負荷群Ｃに属する負荷か、新たに稼動させようとする負荷の何れかである。ただし、新たに稼動させようとする負荷が負荷群Ｂに属するものであったとしても、先に稼動している負荷より優先度（重要度）が低い場合には、稼動させる負荷として選択されない場合がありうる。
【００４３】
時刻ｔ３を過ぎると、負荷群Ａと負荷群Ｂとを対象として推定された推定需要電力量が閾値ＰＷth以下に収まり、全ての負荷を対象として推定された推定需要電力量が閾値ＰＷthを超過すると判定される。この状態は、時刻ｔ３から時刻ｔ４まで継続する。この間に選択される負荷は、時刻ｔ１から時刻ｔ２までと同様に、稼働中の負荷群Ｃに属する負荷か、新たに稼動させようとする負荷の何れかである。
【００４４】
時刻ｔ４において、全ての負荷を対象として推定された推定需要電力量が閾値ＰＷth以下に収まると判定される。時刻ｔ４以降は、時刻ｔ０から時刻ｔ１までの間と同様に、ユーザーの要求に応じた順に応じて、負荷（負荷群）の優先度に応じた分類に関係なく順次当該負荷への給電が行われる。
【００４５】
なお、この図２に示されるグラフｇ３０は、本実施形態に示す需要電力量制御を適用せずに、ユーザーの操作に基づいた制御により制限目標値（ＰＷth）以下に収めようとした場合の電力量の変化を参考に示すものである。各ユーザーは、それぞれ節電を意識して電力量を低減することを試みて、制限目標値（ＰＷth）より実際の電力量が下回るようになる。
このように実際の制限目標値（ＰＷth）に対して余剰電力が生じていても、ユーザーが利用できないということが従来の運用上の課題であった。このような従来までの運用に代えて、本実施形態に示す需要電力量制御を適用することにより、この課題を解消することができる。
【００４６】
次に、本実施形態に係わる需要電力量制御システムにおける優先度制御処理について説明する。
図３は、本実施形態に係わる需要電力量制御システムにおける優先度制御処理を示す図である。
【００４７】
以下に示す優先度制御処理において、特定の１つの部屋に設けられている負荷を制御する場合について説明する。
この図３には、負荷を稼動させる重要度に応じて複数の重要度に分割された分類の一例が示されている。例えば、重要度が低いものから順に並べると、「業務上の重要度が低い負荷」、「業務上重要な負荷」、「業務上非常に重要な負荷」、「停電が生じると業務に支障が生じる負荷」に分類することができる。
また、「業務上の重要度が低い負荷」は、さらに快適性に基づいて重要度を細分することができる。例えば、重要度が低いものから順に並べると、「無駄に駆動している負荷」、「非常に快適な環境な場所に設けられている負荷」、「快適な環境な場所に設けられている負荷」に分類することができる。
【００４８】
また、上記のように重要度に応じて分類された負荷の用途、又は設けられている場所の快適性に応じた分類のほかに、環境条件などの変数（パラメータ）に応じて、各重要度の分類をさらに細分化することができる。
例えば、当該場所の環境条件（変数）として、「照度（ｌｘ(ルクス)）」、「室内温度（℃（度））」、「ＣＯ２濃度（％（パーセント））」、「ＯＡコンセントのカラーリング情報」がある。この図３に示されている一例においては、重要度が低いものから順に、「照度（ｌｘ）」、「室内温度（℃）」、「ＣＯ２濃度（％）」、「ＯＡコンセントのカラーリング情報」のように定められている。
【００４９】
このように、図３に示される優先度クラスは、１から２１までの２１段階にランク分けすることができる。
この図３に示される優先度が設定されている場合には、まず、優先度のランクが最も低い「ランク１」に分類される負荷が稼動状態にあるか否かを判定する。次に、優先度のランクが「ランク１」の次に低い「ランク２」に分類される負荷が稼動状態にあるか否かを判定する。このように、重要度クラスと変数とを組み合わせて定めた優先度のランクに応じて、優先度のランクが低い負荷（「ランク１」）から、優先度のランクが高い負荷（「ランク２１」）まで順に判定する。この判定結果により、当該優先度のランクにおいて稼働中の負荷の消費電力を低減して、節電するように制御する。
【００５０】
次に、図４と図５を参照し、本実施形態に係わる需要電力量制御システムにおける需要電力量の制御処理について説明する。
図４は、本実施形態に係わる需要電力量制御システムにおける需要電力量の制御処理を示すフローチャートである。
【００５１】
まず、需要電力量制御装置１１０において、制御部１１８は、負荷kを新たに駆動させた場合に見込まれる需用電力ＰＷk（推定需用電力）を算出する(ステップＳ１０)。ここで、ｋは、負荷を一意に識別する識別情報を示す。当該負荷ｋを新たに駆動させる要求の検出は、各負荷からの制御情報に従って情報処理部１１１によって行われる。制御部１１８は、当該負荷ｋを新たに駆動させた場合の需用電力ＰＷkが閾値ＰＷth以下に収まるか否かを判定する(ステップＳ２０)。
【００５２】
先に、ステップＳ２０における判定の結果、当該負荷ｋを新たに駆動させた条件における需用電力ＰＷkが閾値ＰＷth以下に収まると判定した場合(ステップＳ２０：Ｙｅｓ)について説明する。上記の場合、制御部１１８は、当該負荷ｋを駆動させるとともに、当該負荷ｋを駆動させる要求に対して当該負荷ｋを駆動させたという履歴情報を生成した後（ステップＳ３０）、ステップＳ９０に進む。
【００５３】
一方、ステップＳ２０における判定の結果、当該負荷ｋを新たに駆動させた条件における需用電力ＰＷkが閾値ＰＷth以下に収まらないと判定した場合(ステップＳ２０：Ｎｏ)、駆動させる負荷を選択することが必要になる。そこで、制御部１１８は、全ての稼働中の負荷において、当該負荷ｋの優先度Pkが、節電処理を可能とする全ての稼働中の負荷の優先度より低いか否かを判定する(ステップＳ４０)。
【００５４】
まず、ステップＳ４０における判定の結果、全ての稼働中の負荷において、当該負荷ｋの優先度Pkが、節電処理を可能とする全ての稼働中の負荷の優先度より高いと判定した場合(ステップＳ４０：Ｙｅｓ)について説明する。上記の場合、制御部１１８は、当該負荷Ｋを稼動させた条件において、当該負荷ｋを新たに駆動させた条件における需用電力ＰＷkが閾値ＰＷth以下に収まるように、低減させることが必要となる消費電力量を算出する（ステップＳ５０）。
制御部１１８は、当該負荷ｋを稼動させた条件において、低減させることが必要となる消費電力量を上回るように、消費電力を低減させる負荷を選択し、選択した負荷に対する制御方法を決定する(ステップＳ６０)。
制御部１１８は、ステップＳ６０において選択した負荷に対して、ステップＳ６０において決定した制御方法により当該選択した負荷を駆動させるとともに、当該選択した負荷の制御方法を変更して当該選択した負荷を駆動させたという履歴情報を生成した後（ステップＳ７０）、ステップＳ３０に進む。
【００５５】
続いて、ステップＳ４０における判定の結果、全ての稼働中の負荷において、当該負荷ｋの優先度Pkが、節電処理を可能とする全ての稼働中の負荷の優先度より高くないと判定した場合(ステップＳ４０：Ｎｏ)について説明する。上記の場合、新たに駆動させようとした負荷ｋを駆動させることができない。そこで、制御部１１８は、当該負荷ｋを駆動させることなく、当該負荷ｋを駆動させる要求に対して当該負荷ｋを駆動させなかったという履歴情報を生成し（ステップＳ８０）、ステップＳ９０に進む。
【００５６】
次に、制御部１１８は、各負荷の稼動状態に基づいて、各負荷の稼動状態情報を更新し、更新した各負荷の稼動状態情報を記憶部１１９に記憶させ、このフローチャートに示す一連の処理を終える（ステップＳ９０）。
【００５７】
図５は、本実施形態に係わる需要電力量制御システムにおける需要電力量の制御処理を示すフローチャートである。この図５に示されるステップＳ５１からステップＳ５３は、図４におけるステップＳ５０の処理をより具体的な実施態様として示すものである。図４と同じ処理を行う処理（ステップ）には、同じ符号を附す。
【００５８】
例えば、ステップＳ５０の処理において、以下のような処理を行ってもよい。
優先度に応じた順に従って、節電処理を可能とする全ての稼働中の負荷のうち、優先度の低い負荷の消費電力を低減させる(ステップＳ５１)。制御部１１８は、上記の優先度の低い負荷の消費電力を低減させた条件による需用電力ＰＷk’を算出する(ステップＳ５２)。
【００５９】
次に制御部１１８は、当該負荷ｋを新たに駆動させた場合において、上記の優先度の低い負荷の消費電力を低減させたことにより、需用電力ＰＷk’が閾値ＰＷth以下に収まったか否かを判定する(ステップＳ５３)。ステップＳ７０における判定の結果、需用電力ＰＷk’が閾値ＰＷth以下に収まっていないと判定した場合(ステップＳ５３：Ｎｏ)、ステップＳ５１に進む。ステップＳ５３における判定の結果、需用電力ＰＷk’が閾値ＰＷth以下に収まっていると判定した場合(ステップＳ５３：Ｙｅｓ)、ステップＳ６０に進む。
【００６０】
以上に示すように、本実施形態における需要電力量制御システム１によれば、部屋を単位とする需要電力量の制御においても、余剰電力を過分に生じさせることなく、電気事業者から供給可能な電力量を有効に利用することが可能になる。
【００６１】
（第２実施形態）
【００６２】
以下、本発明の第２実施形態について、図面を参照して説明する。以下の説明では、最初に、需要電力量制御システムの構成について説明し、その後に、需要電力量制御システムにおける各種処理について説明する。本実施形態においては、主に需要電力量制御システムによって需要電力量を制御することにより、電気事業者から供給可能な電力量を有効に利用する一実施態様を示す。
【００６３】
図６は、本発明の第２実施形態に係わる需要電力量制御システムの概略構成図である。
本実施形態における需要電力量制御システム１０における需要電力量制御装置５００は、予め定められた範囲が複数あり、それぞれの範囲に含まれる複数の負荷において消費される電力量（最大需要電力量）を制御する。
【００６４】
需要電力量制御システム１０は、需要電力量制御装置５００、需要電力量制御システム１Ａ、需要電力量制御システム１Ｂ、需要電力量制御システム１Ｃを備える。
【００６５】
需要電力量制御システム１Ａは、需要電力量制御装置１１０Ａ、コンセント部１２０Ａ、照明設備部１３０Ａ、空調設備部１４０Ａ、センサー部１５０Ａ、及び、電源設備部２００Ａを備える。
需要電力量制御システム１Ｂは、需要電力量制御装置１１０Ｂ、コンセント部１２０Ｂ、照明設備部１３０Ｂ、空調設備部１４０Ｂ、センサー部１５０Ｂ、及び、電源設備部２００Ｂを備える。
需要電力量制御システム１Ｃは、需要電力量制御装置１１０Ｃ、コンセント部１２０Ｃ、照明設備部１３０Ｃ、空調設備部１４０Ｃ、センサー部１５０Ｃ、及び、電源設備部２００Ｃを備える。
【００６６】
上記需要電力量制御システム１Ａから１Ｃについて、図１に示される構成との対応関係を以下に示す。
需要電力量制御システム１Ａから１Ｃは、図１における需要電力量制御システム１に相当する。
需要電力量制御装置１１０Ａから１１０Ｃは、図１における需要電力量制御装置１１０に相当する。
コンセント部１２０Ａから１２０Ｃは、図１におけるコンセント部１２０に相当する。
照明設備部１３０Ａから１３０Ｃは、図１における照明設備部１３０に相当する。
空調設備部１４０Ａから１４０Ｃは、図１における空調設備部１４０に相当する。
センサー部１５０Ａから１５０Ｃは、図１におけるセンサー部１５０に相当する。
電源設備部２００Ａから２００Ｃは、図１における電源設備部２００に相当する。
【００６７】
需要電力量制御システム１Ａから１Ｃには、上記のような対応関係があり、需要電力量制御システム１Ａから１Ｃの説明は、特に明示することを除いて図１の説明を上記の対応関係に従って読み替える。
上記のように、需要電力量制御システム１Ａから１Ｃは、それぞれ異なる範囲に設けられた複数の負荷において消費される電力量（最大需要電力量）を制御するものである。
需要電力量制御システム１Ａから１Ｃは、上記の異なる範囲に対応して設けられている。例えば、上記の範囲についてビルを単位として定義した場合、需要電力量制御システム１Ａから１Ｃは、それぞれ異なるビルごとに設けられており、それぞれ対応するビルに設けられた複数の負荷において消費される電力量（最大需要電力量）を制御する。
【００６８】
需要電力量制御システム１０における需要電力量制御装置５００は、制御部５１８、及び、記憶部５１９を備えている。
記憶部５１９は、制御部５１８によって書き込まれた情報を記憶（保持）する。
制御部５１８によって書き込まれる情報には、需要電力量制御システム１Ａから１Ｃにおいて収集された情報、制御処理によって生成された履歴情報などが含まれる。より具体的に示すと、制御部５１８によって書き込まれる情報には、需要電力量制御システム１Ａから１Ｃにおいて収集された各負荷の駆動状態を変更する制御情報と、センサー部１５０Ａから１５０Ｃによって検出された検出情報、電源設備部２００Ａから２００Ｃ又は各負荷によって検出された消費電力情報などが含まれる。
制御部５１８は、消費する電力量が制御される範囲に応じた優先度に応じて負荷の稼動を制御する。
【００６９】
或は、制御部５１８は、負荷が設けられている場所に応じて定められている優先度に応じて負荷の稼動を制御する。また、制御部５１８は、負荷の種別に応じて定められている優先度に応じて負荷の稼動を制御する。また、制御部５１８は、負荷の稼働状況によって環境が変化する場所の環境条件に応じて定められている優先度に応じて負荷の稼動を制御する。また、制御部５１８は、環境条件に応じて定められている優先度に応じて負荷の稼動を制御する。
【００７０】
制御部５１８が行う制御の詳細については、後述する。
【００７１】
次に、図３、図４と図７を参照し、本実施形態に係わる需要電力量制御システムにおける優先度制御処理について説明する。
【００７２】
上記図３において、特定の１つの部屋に設けられている負荷を制御する場合を説明した。個々のビルに設けられている負荷を制御する場合の説明は、前述のとおり図３を参照する。
以下に示す本実施形態における優先度制御処理の説明は、図３における「特定の１つの部屋」を「特定の１つのビル」として読み替えることにより、ビルを単位とした制御が同様に可能となる。要するに、特定の１つのビルに設けられている負荷を制御する場合を前提に、複数のビルに設けられている負荷を制御する場合を例に説明する。
【００７３】
また、前述の図３において示したように、負荷を稼動させる重要度に応じて複数の重要度に分類する。例えば、重要度が低いものから順に並べると、「業務上の重要度が低い負荷」、「業務上重要な負荷」、「業務上非常に重要な負荷」、「停電が生じると業務に支障が生じる負荷」に分類することができる。
また、「業務上の重要度が低い負荷」は、さらに快適性に基づいて細分化することができる。例えば、重要度が低いものから順に並べると、「無駄に駆動している負荷」、「非常に快適な環境な場所に設けられている負荷」、「快適な環境な場所に設けられている負荷」に分類することができる。
【００７４】
また、上記のように重要度に応じて分類された負荷の用途、又は設けられている場所の快適性に応じた分類のほかに、環境条件などの変数（パラメータ）に応じて、各重要度の分類をさらに細分化することができる。
【００７５】
図７は、本実施形態に係わる需要電力量制御システムにおける優先度制御処理を示す図である。
例えば、当該場所の環境条件（変数）として、「ビル別重要度」を定める。「ビル別重要度」を定める「ビル」を次に示すように分類する。ビルの分類の一例として、警察・消防・役所などの庁舎、病院、交通機関、通信施設、放送施設などの公共性の高いビルＡや、工場、商業施設などの生産流通業務を用途とするビルＢや、学校などのビルＣ、一般住宅などのビルＤを分類として含むように定義してもよい。
このように分類されるビルの重要度を、例えば非常時の重要性を勘案して、「ビルＡ」、「ビルＢ」、「ビルＣ」、「ビルＤ」の順に重要度が低くなるものとして定義する。
【００７６】
このように、図３に示した重要度の分類と同様に、複数のビルを対象とする場合おいても重要度に応じた優先度を設定し、その優先度には複数の段階にランク分けすることができる。
このように重要度に応じてランク付けされている優先度には、まず、優先度（重要度）のランクが最も低いランク（ランク１）に分類される負荷が稼動状態にあるか否かを判定する。次に、優先度（重要度）のランクが次に低いランク（ランク２）に分類される負荷が稼動状態にあるか否かを判定する。このように、重要度と変数とを組み合わせて定めた優先度のランクに応じて、優先度のランクが低い負荷から、優先度のランクが高い負荷まで順に判定する。この判定結果により、当該優先度のランクにおいて稼働中の負荷の消費電力を低減して、節電するように制御する。
【００７７】
続いて、図７に示すように特定の１つの部屋より制御対象範囲を拡大し、その範囲に設けられている負荷を制御する場合について説明する。例えば、図７には、「特定の１つの部屋」、「ビルのフロア」、「特定の１つのビル」、「複数のビルを纏めたビル群」、「自治体」、「国」を制御対象範囲として例示した場合がそれぞれ示されている。
さらに図７には、制御対象範囲ごとに設定可能な変数（パラメータ）の例が示されている。
【００７８】
例えば、「特定の１つの部屋」の場合には、図３と同様に、重要度が低いものから順に、「照度（ｌｘ）」、「室内温度（℃）」、「ＣＯ２濃度（％）」、「ＯＡコンセントのカラーリング情報」が示されている。
【００７９】
また、「ビルのフロア」の場合には、「部屋別重要度」、複数の部屋を纏めた範囲とする「ゾーン別重要度」、「法令対応必須要件」が示されている。例えば「法令対応必須要件」に含まれる負荷には、消防設備、空調設備などによる電気的な負荷が含まれる。
【００８０】
また、「特定の１つのビル」の場合には、「フロア別重要度」、「法令対応必須要件」が示されている。例えば「法令対応必須要件」に含まれる負荷には、消防設備、空調設備などによる電気的な負荷が含まれる。
【００８１】
また、「複数のビルを纏めたビル群」の場合には、「ビル別重要度」が示されている。
【００８２】
また、「自治体」の場合には、「施設別重要度」が示されている。例えば、「施設」には、警察・消防・役所などの庁舎（公共施設）、病院、交通機関、通信施設、放送施設、工場、商業施設、学校、一般住宅などが含まれる。
【００８３】
また、「国」の場合には、「県別重要度」が示されている。
【００８４】
上記のように、例えば、消費する電力量が制御される範囲として定められている「特定の１つの部屋」（第１の範囲）と、「特定の１つの部屋」（第１の範囲）より広い「特定の１つのビル」（第２の範囲）とがある。「特定の１つの部屋」（第１の範囲）には、「特定の１つの部屋」（第１の範囲）に含まれる負荷の駆動を制御する第１の優先度が定められており、「特定の１つのビル」（第２の範囲）には、「特定の１つのビル」（第２の範囲）に含まれる負荷の駆動を制御する第２の優先度が定められている。そして、負荷が設けられている場所（ビル、範囲、位置）に応じて定められている優先度に応じて、制御部５１８は負荷の稼動を制御する。
【００８５】
このように、段階的に制御対象とする範囲を定めておくことにより、より狭く設定された範囲内の負荷の数量を低減することができ、その範囲に含まれる負荷の消費電力を制御する処理を簡素化することができる。
また、段階的に制御対象とする範囲を定めておくことにより、より広く設定された範囲内において、その範囲に含まれる負荷の消費電力を制御する処理を簡素化することができる。
【００８６】
ここで、制御部５１８は、負荷が設けられているビル（場所）に応じて定められている優先度に応じて負荷の稼動を制御してもよい。
また、制御部５１８は、負荷の種別に応じて定められている優先度に応じて負荷の稼動を制御してもよい。
また、制御部５１８は、負荷の稼働状況によって環境が変化するビル（場所）の重要度（環境条件）に応じて定められている優先度に応じて負荷の稼動を制御してもよい。
また、制御部５１８は、環境条件に応じて定められている優先度に応じて負荷の稼動を制御してもよい。
【００８７】
図４に示すフローチャートを参照し、需要電力量制御システム１０における処理を説明する。
まず、需要電力量制御システム１０において、制御部５１８は、特定のビルｋの負荷を新たに駆動させた場合に見込まれる需用電力ＰＷk（推定総消費電力量）を算出する(ステップＳ１０)。ここで、ｋは、ビルを一意に識別する識別情報を示す。当該ビルｋにおいて負荷を新たに駆動させる要求の検出は、需要電力量制御システム１Ａから１Ｃのそれぞれが生成した各ビルからの制御情報を需要電力量制御装置５００が検出する。制御部５１８は、当該ビルｋにおいて負荷を新たに駆動させた場合の需用電力ＰＷk（推定総消費電力量）が閾値ＰＷth以下に収まるか否かを判定する(ステップＳ２０)。
【００８８】
先に、ステップＳ２０における判定の結果、当該ビルｋにおいて負荷を新たに駆動させた条件における需用電力ＰＷk（推定総消費電力量）が閾値ＰＷth以下に収まると判定した場合(ステップＳ２０：Ｙｅｓ)について説明する。上記の場合、制御部５１８は、当該ビルｋにおいて負荷を駆動させるとともに、当該ビルｋにおいて負荷を駆動させる要求に対して当該負荷ｋを駆動させたという履歴情報を生成した後（ステップＳ３０）、ステップＳ９０に進む。
【００８９】
一方、ステップＳ２０における判定の結果、当該ビルｋにおいて負荷を新たに駆動させた条件における需用電力ＰＷk（推定総消費電力量）が閾値ＰＷth以下に収まらないと判定した場合(ステップＳ２０：Ｎｏ)、制御部５１８は、負荷を稼働している全てのビルにおいて、当該ビルｋの優先度Pkが、節電処理を可能とし、負荷を稼働している全てのビルの優先度より低いか否かを判定する(ステップＳ４０)。
【００９０】
まず、ステップＳ４０における判定の結果、負荷を稼働している全てのビルにおいて、当該ビルｋの優先度Pkが、節電処理を可能とする負荷を稼働している全てのビルの優先度より高いと判定した場合(ステップＳ４０：Ｙｅｓ)について説明する。上記の場合、制御部５１８は、当該ビルｋの負荷を稼動させた条件において、当該ビルｋの負荷を新たに駆動させた条件における需用電力ＰＷk（推定総消費電力量）が閾値ＰＷth以下に収まるように、低減させることが必要となる消費電力量を算出する（ステップＳ５０）。
制御部５１８は、当該ビルｋの負荷を稼動させた条件において、低減させることが必要となる消費電力量を上回るように、消費電力を低減させるビルを選択し、選択したビルに対する制御方法を決定する(ステップＳ６０)。
制御部５１８は、ステップＳ６０において選択したビルに対して、ステップＳ６０において決定した制御方法により当該選択したビルの負荷を駆動させるとともに、当該選択したビルの負荷の制御方法を変更して当該選択したビルの負荷を駆動させたという履歴情報を生成した後（ステップＳ７０）、ステップＳ３０に進む。
【００９１】
続いて、ステップＳ４０における判定の結果、負荷を稼働している全てのビルにおいて、当該ビルｋの優先度Pkが、節電処理を可能とする負荷を稼働している全てのビルの優先度より高くないと判定した場合(ステップＳ４０：Ｎｏ)について説明する。上記の場合、制御部５１８は、当該ビルｋの負荷を駆動させることなく、当該ビルｋの負荷を駆動させる要求に対して当該ビルｋの負荷を駆動させなかったという履歴情報を生成し（ステップＳ８０）、ステップＳ９０に進む。
【００９２】
次に、制御部５１８は、各ビルの負荷の稼動状態に基づいて、各ビルの負荷の稼動状態情報を更新し、更新した各ビルの負荷の稼動状態情報を記憶部５１９に記憶させる。また、制御部５１８は、更新した各ビルの負荷の稼動状態情報を各ビルに設けられている需要電力量制御システム１Ａから１Ｃにそれぞれ通知する。制御部５１８は、この通知により、需要電力量制御システム１Ａから１Ｃのそれぞれに、制御部５１８から通知された各ビルの負荷の稼動状態情報に応じて、各ビルの負荷の稼動状態を制御するようにさせて、このフローチャートに示す一連の処理を終える（ステップＳ９０）。
【００９３】
以上に示すように、本実施形態における需要電力量制御システム１０によれば、ビルを単位とする需要電力量の制御においても、余剰電力を過分に生じさせることなく、電気事業者から供給可能な電力量を有効に利用することが可能になる。
【００９４】
以上、本発明の実施形態について図面を参照して詳述してきたが、具体的な構成はこの実施形態に限られるものではなく、この発明の要旨を逸脱しない範囲の変更等も含まれる。
なお、図３と図７に示す優先度並びに変数（パラメータ）は、任意変更することができる。図示した優先度並びに変数（パラメータ）の一部を含むように、本実施形態を変更してもよい。
【００９５】
なお、上述の需要電力量制御システム１、１０、並びに、需要電力量制御装置１１０、５００は、内部にコンピュータシステムを有している。そして、各機能部の動作の過程は、プログラムの形式でコンピュータ読み取り可能な記録媒体に記憶されており、このプログラムをコンピュータシステムが読み出して実行することによって、上記処理が行われる。ここでいうコンピュータシステムとは、ＣＰＵ及び各種メモリーやＯＳ、周辺機器等のハードウェアを含むものである。
【００９６】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリーのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【符号の説明】
【００９７】
１、１Ａ，１Ｂ、１Ｃ、１０  需要電力量制御システム、
１１０、１１０Ａ、１１０Ｂ、１１０Ｃ、５００  需要電力量制御装置、
１１８、５１８  制御部、
１２０、１２０Ａ、１２０Ｂ、１２０Ｃ  コンセント部、
１３０、１３０Ａ、１３０Ｂ、１３０Ｃ  照明設備部、
１４０、１４０Ａ、１４０Ｂ、１４０Ｃ  空調設備部、
１５０、１５０Ａ、１５０Ｂ、１５０Ｃ  センサー部、
２００、２００Ａ、２００Ｂ、２００Ｃ  電源設備部
【図１】
2013169039.tif 000003
【図２】
2013169039.tif 000004
【図３】
2013169039.tif 000005
【図４】
2013169039.tif 000006
【図５】
2013169039.tif 000007
【図６】
2013169039.tif 000008
【図７】
2013169039.tif 000009